(57)【要約】      （修正有）【課題】陳列棚仕切り板の構造に関し、滑り止め固定構造を備え、低温環境にも耐えられる陳列棚仕切り板の構造を提供する。【解決手段】陳列棚仕切り板の構造は底板１１を備え、底板１１底部には磁性吸着部品１１１を設置し、縦板１２は底板１１上に垂直に設置し、縦板１２の一端には突出部、前ガード板１３を設置し、前ガード板１３は突出部上に設置し、底板１１には滑り防止部品１１２を設置し、滑り防止部品１１２は滑り止め定位機能を備えるゴムパッド、或いはラフな表面を備えるパッドで、陳列棚仕切り板１の棚板上への安定的な固定を強化することができ、底板１１にはさらに固定部品１１３を設置でき、固定部品１１３により陳列棚仕切り板１は網状物置棚上に固定され、底板１１、縦板１２、前ガード板１３は低温に耐えられるプラスチック材質を用いて製造するため、冷蔵ケース、冷凍ケースなどの低温環境中でも、材質が破裂するなどの問題は発生しない。【選択図】図７
0003173354.tif 000002
【実用新案登録請求の範囲】
【請求項１】
陳列棚仕切り板の構造は、底板、縦板、前ガード板を備え、前記底板底部には、磁性吸着部品を設置し、前記縦板は、前記底板上に垂直に設置し、前記縦板の一端には、突出部を設置し、前記ガード板は、前記突出部上に設置することを特徴とする陳列棚仕切り板の構造。
【請求項２】
前記底板には、滑り防止部品を設置することを特徴とする請求項１に記載の陳列棚仕切り板の構造。
【請求項３】
前記底板には、固定部品を設置することを特徴とする請求項２に記載の陳列棚仕切り板の構造。
【請求項４】
前記底板には、固定部品を設置することを特徴とする請求項１に記載の陳列棚仕切り板の構造。
【請求項５】
前記滑り防止部品は、滑り止め定位機能を備えるゴムパッド、或いはラフ表面を備えるパッドであることを特徴とする請求項３に記載の陳列棚仕切り板の構造。
【請求項６】
前記固定部品は、フック構造であることを特徴とする請求項５に記載の陳列棚仕切り板の構造。
【請求項７】
前記底板、前記縦板、前記前ガード板は、低温に耐えられるプラスチック材質により製造することを特徴とする請求項６に記載の陳列棚仕切り板の構造。
【考案の詳細な説明】
【技術分野】
【０００１】
本考案は陳列棚仕切り板の構造に関し、特に滑り止め固定構造を備え、低温環境にも耐えられる陳列棚仕切り板の構造に関する。
【背景技術】
【０００２】
現代の街中には、コンビニや商店が林立しており、買い物には非常に便利である。商店では、商品を展示するのに、商品を分類して整然と並べ、各商品間の相違を区別するため、通常は陳列棚仕切り板を使用し、商品を区画している。これにより、同一類商品は、同一区に置き、こうして商品間の区別を顧客に示している。しかも、同タイプの商品を同一区に置くことにより、商店の販売員の商品補給、棚卸を助け、各商品の販売状況をより効果的に管理することができる。
【０００３】
従来の陳列棚仕切り板は、仕切り板底部に、磁性を備えるゴムパッドを設置する。これにより、従来の陳列棚仕切り板は、陳列棚上に吸着する。しかし、磁性を備えるゴムパッドの面積が大きいため、商品が小さいものであれば、従来の陳列棚仕切り板を、上記した小さい商品の左右側に置く時、上記した商品に確実に緊密に接触することはできず、しかも、陳列棚の棚板の陳列面を占拠してしまう。また、上記した磁性を備えるゴムパッドの吸着面積が大きいため、店員が従来の陳列棚仕切り板を移動させる場合には、従来の陳列棚仕切り板全体を抜き取り、位置を調整後、再び陳列の棚板上に吸着させる必要がある。店員が陳列棚全体の陳列面を整理しなければならない時には、非常に多くの時間と労力を費やす必要がある。
【０００４】
冷蔵庫、冷凍庫などの低温環境中において、陳列棚仕切り板を使用する必要がある場合がある。冷蔵庫及び冷凍庫などの低温環境中では、商品を置く棚板として、多くは網状物置棚を採用する。しかし、従来の陳列棚仕切り板は、上記した網状物置棚上に立てることはできない。しかも、一般にプラスチック材質により製造する陳列棚仕切り板を、低温環境中に長期間置くと、材質が低温に耐えられず破裂するという問題も発生する。本考案は、従来の陳列棚仕切り板の構造の上記した欠点に鑑みてなされたものである。
【考案の概要】
【考案が解決しようとする課題】
【０００５】
本考案が解決しようとする課題は、磁性を備えるゴムパッドの面積が大きいため、陳列棚の棚板の陳列面を占拠してしまい、しかも店員が陳列棚の陳列面を整理する時には、陳列棚仕切り板全体を抜き取らなければならず、使用において非常に不便で、冷蔵ケース、冷凍ケースの網状物置棚上に立てることができず、しかも一般にプラスチック材質により製造する陳列棚仕切り板は、低温環境中に長期間置くと、材質が低温に耐えられず破裂するという問題までもが発生する従来の陳列棚仕切り板の欠点を解決することができる陳列棚仕切り板の構造を提供することである。
【課題を解決するための手段】
【０００６】
上記課題を解決するため、本考案は下記の陳列棚仕切り板の構造を提供する。
陳列棚仕切り板の構造は、底板、縦板を備え、該底板底部には、磁性吸着部品を設置し、該縦板は、該底板上に垂直に設置し、該縦板の一端には突出部、前ガード板を設置し、該前ガード板は突出部上に設置し、該底板には、滑り防止部品を設置し、該滑り防止部品は、滑り止め定位機能を備えるゴムパッド、或いはラフな表面を備えるパッドで、陳列棚仕切り板の棚板上への安定的な固定を強化することができ、該底板にはさらに固定部品を設置でき、該固定部品により陳列棚仕切り板は網状物置棚上に固定され、しかも、該底板、該縦板、該前ガード板は、低温に耐えられるプラスチック材質を用いて製造するため、冷蔵ケース、冷凍ケースなどの低温環境中でも、材質が破裂するなどの問題は発生せず、陳列棚仕切り板の構造は、該磁性吸着部品を利用し、該陳列棚上に吸着させることで、該陳列棚仕切り板１を堅固に安定させる効果を達成し、
該滑り防止部品は、滑り止め定位機能を備えるゴムパッド、或いはラフな表面を備えるパッドで、これにより該陳列棚仕切り板の滑り止め能力を強化でき、
しかも、該底板と該滑り防止部品は共に、従来の陳列棚仕切り板の底板及びゴムパッドより小さく、多くの陳列空間を空けることができる他、比較的小さな商品であっても、該陳列棚仕切り板に密着させることができるため、陳列が整然と整うという効果を達成し、該底板及び該滑り防止部品は、原材料の使用を減らすことができ、ガード板と商品標示プレートとは結合し、該陳列棚仕切り板をより堅固に安定させる効果を提供できるばかりか、店員が陳列を整理する時、該陳列棚仕切り板は、該商品標示プレートの溝に沿って左右に移動させるだけで良く、陳列の整理がより簡単になり、該固定部品は、フック構造であるため、冷蔵ケース及び冷凍ケースの網状物置棚上に嵌めて設置でき、これにより該陳列棚仕切り板は移動せず、陳列商品はきちんと陳列され、こうして消費者は商品に関連する情報、或いは商品の内容を知ることができ、該磁性吸着部品と該固定部品は、複数個とすることができ、該磁性吸着部品及び該固定部品を多く設置すればするほど、該陳列棚仕切り板は、より堅固となる。
【考案の効果】
【０００７】
本考案の陳列棚仕切り板の構造は、滑り止め固定構造を備え、低温環境に対する耐性をも備える。
【図面の簡単な説明】
【０００８】
【図１】本考案第一実施例の立体図である。
【図２】本考案第一実施例の別の角度からの立体図である。
【図３】本考案の使用状態図(一)である。
【図４】本考案第二実施例の立体図である。
【図５】本考案第二実施例の別の角度からの立体図である。
【図６】本考案の使用状態図(二)である。
【図７】本考案フック構造の模式図である。
【図８】本考案第二実施例フック構造の模式図である。
【図９】本考案の使用状態図(三)である。
【図１０】本考案の使用状態図(四)である。
【考案を実施するための形態】
【０００９】
以下に図面を参照しながら本考案を実施するための最良の形態について詳細に説明する。
【実施例】
【００１０】
図１、２、３に示すように、本考案陳列棚仕切り板の構造は、底板１１、縦板１２を備える。底板１１底部には、磁性吸着部品１１１を設置する。磁性吸着部品１１１により、陳列棚仕切り板１は、陳列棚棚板５上への吸着に有利となる。縦板１２は、底板１１上に垂直に設置する。縦板１２の一端には、突出部１２１、前ガード板１３を設置する。前ガード板１３は、突出部１２１上に設置する。底板１１には、滑り防止部品１１２を設置する。滑り防止部品１１２は、滑り止め定位機能を備えるゴムパッド、或いはラフな表面を備えるパッドで、陳列棚仕切り板１の棚板５上への安定的な固定を強化することができ、こうして、陳列棚仕切り板１は、滑り止め機能を備える。陳列棚仕切り板１は、商品標示プレート４と結合することができる。突出部１２１は、縦板１２において突出するため、縦板１２と前ガード板１３との間には、間隙が生まれ、商品標示プレート４は、上記の間隙を通して、前ガード板１３と係合する。商品標示プレート４の反対側は、棚板溝５１と結合する。
【００１１】
図４、５、６は、本考案第二実施例の左側陳列棚仕切り板２と右側陳列棚仕切り板３を示す。左側陳列棚仕切り板２は、縦板１２を、底板１１の左側に垂直に立てて設置し、前ガード板１３の左側を、突出部１２１と結合する。右側陳列棚仕切り板３は、縦板１２を、底板１１の右側に垂直に立てて設置し、前ガード板１３の右側を、突出部１２１と結合する。こうして、陳列棚仕切り板１、左側陳列棚仕切り板２、右側陳列棚仕切り板３は、一組の陳列棚仕切り板の組合せとなる。これにより、商品６の、棚板５上への陳列、展示を助け、商店の販売員の商品補充、棚卸の利便性を図ることができるため、商品６の販売状況を効果的に管理することができる。
【００１２】
図７〜１０に示すように、陳列棚仕切り板１、左側陳列棚仕切り板２、右側陳列棚仕切り板３はさらに、底板１１に、固定部品１１３を立てて設置することができる。固定部品１１３は、フック構造で、固定部品１１３は、陳列棚仕切り板１、左側陳列棚仕切り板２、右側陳列棚仕切り板３を、網状物置棚７上に固定することができる。こうして、コンビニ、スーパー、倉庫、量販店などの売り場における冷蔵ケース、冷凍ケースなどの低温環境中に応用することができる。冷蔵庫及び冷凍庫などの低温環境中では、網状物置棚７を、多くの異なる高さの物置空間に区画する。しかも、底板１１、縦板１２、前ガード板１３は、低温に耐えられるプラスチック材質を用いて製造するため、冷蔵ケース、冷凍ケースなどの低温環境中に設置しても、材質が破裂するなどの問題は発生しない。
【００１３】
本考案陳列棚仕切り板の構造は、以下のような長所を備える。
１.陳列棚仕切り板１は、底板１１に磁性吸着部品１１１を設置し、これにより陳列棚仕切り板１の、陳列棚の棚板５上への吸着に有利である。
２.陳列棚仕切り板１は、底板１１上に滑り防止部品１１２を設置し、滑り防止部品１１２は、滑り止め、定位機能を備えるゴムパッド、或いはラフな表面を備えるパッドで、これにより陳列棚仕切り板１の棚板５上の安定的な固定を強化することができる。
３.陳列棚仕切り板１は、底板１１上に別に固定部品１１３を設置し、固定部品１１３は、フック構造で、フック構造は、網状物置棚７上に係合でき、これにより陳列棚仕切り板１を、網状物置棚７上に固定することができる。
４.陳列棚仕切り板１の前ガード板１３は、商品標示プレート４と結合でき、商品標示プレート４は、棚板溝５１と結合し、これにより陳列棚仕切り板１はより堅固に安定し、こうして陳列棚仕切り板１の組立て、設置が便利で簡単になり、さらに棚板上の空間を節減できるため、棚板５空間をより有効に利用可能となる。
５.陳列棚仕切り板１の底板１１、縦板１２、前ガード板１３は、低温に耐えられるプラスチック材質を用いて製造するため、冷蔵ケース、冷凍ケースなどの低温環境中でも、材質が破裂するなどの問題は発生しない。
【００１４】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１５】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００１６】
１      陳列棚仕切り板
１１    底板
１１１  磁性吸着部品
１１２  滑り防止部品
１１３  固定部品
１２    縦板
１２１  突出部
１３    前ガード板
２      左側陳列棚仕切り板
３      右側陳列棚仕切り板
４      商品標示プレート
５      棚板
５１    棚板溝
６      商品
７      網状物置棚
【図１】
0003173354.tif 000003
【図２】
0003173354.tif 000004
【図３】
0003173354.tif 000005
【図４】
0003173354.tif 000006
【図５】
0003173354.tif 000007
【図６】
0003173354.tif 000008
【図７】
0003173354.tif 000009
【図８】
0003173354.tif 000010
【図９】
0003173354.tif 000011
【図１０】
0003173354.tif 000012